(57)【要約】  本発明は、取付アセンブリ内に取り付けるためのカード用カード接点投入装置に関し、このカード接点投入装置は上側および下側接点担持部受容体と、上側および下側接点担持部受容体間に配置された柔軟接点担持部と、を有し、下側接点担持部受容体は取付アセンブリ上に固定されるようになされた複数の固定手段を形成する。
2015536543.tif 000002
【特許請求の範囲】
【請求項１】
取付アセンブリ（７０）に取り付けるためのカード（１００）用カード接点投入装置（１）であって、前記カード接点投入装置（１）は下側および上側接点担持部支持体（２、５５）と、前記下側および前記上側接点担持部支持体（２、５５）間に配置された柔軟接点担持部（３）も有し、前記下側接点担持部支持体（２）が、取付アセンブリ（７０）上に固定するようになされた複数の固定手段（６０）を形成するカード接点投入装置（１）。
【請求項２】
前記上側接点担持部支持体（５５）がカード（１００）の上面のための嵌合支承部の形態であることを特徴とする、請求項１に記載のカード接点投入装置（１）。
【請求項３】
前記下側接点担持部支持体（２）の前記固定手段（６０）が凹部の形態、好ましくは複数の穴の形態であり、意図した通りに取付アセンブリ（７０）の対応する突起の周囲で、またはその上にそれと共に圧着されることを特徴とする、請求項１または２に記載のカード接点投入装置（１）。
【請求項４】
前記下側接点担持部支持体（２）の前記固定手段（６０）が、意図した通りに取付アセンブリ（７０）に、またはその上にはんだ付けするためのはんだポイントの形態であることを特徴とする、請求項１〜３のいずれか一項に記載のカード接点投入装置（１）。
【請求項５】
前記取付アセンブリ（７０）が携帯無線端末機器の中のアセンブリを構成し、前記柔軟接点担持部（３）が、前記携帯無線端末機器の中のプリント回路基板に接続するための柔軟接続手段を有することを特徴とする、請求項１〜４のいずれか一項に記載のカード接点投入装置（１）。
【請求項６】
前記柔軟接点担持部（３）が、カード（１００）との接触状態を確立するための複数の接触点（３３）を持つ接点投入部分（３５）を有することを特徴とする、請求項１〜５のいずれか一項に記載のカード接点投入装置（１）。
【請求項７】
前記接点投入部分（３５）が前記上側および下側接点担持部支持体（２、５５）間に配置されることを特徴とする、請求項６に記載のカード接点投入装置（１）。
【請求項８】
前記上側接点担持部支持体（５５）が、カード（１００）の前記上面のための接点押圧要素として複数のスプリング（５７）を提供することを特徴とする、請求項２〜７のいずれか一項に記載のカード接点投入装置（１）。
【請求項９】
前記カード接点投入装置（１）が、カードを挿入し、排出させるために往復するように移動可能な作動装置（５１）を持つプッシュ−プッシュ機構（５０）を有することを特徴とする、請求項１〜８のいずれか一項に記載のカード接点投入装置（１）。
【請求項１０】
前記接点投入装置（１）が、ナノＳＩＭカード（１００）用のナノＳＩＭカードリーダであることを特徴とする、請求項１〜９のいずれか一項に記載のカード接点投入装置（１）。
【発明の詳細な説明】
【技術分野】
【０００１】
本発明は、特許請求項１において請求されるカード接点投入装置に関する。
【背景技術】
【０００２】
先行技術において、対応するカードとの接触状態を確立するためのカード接点投入装置を含むカード読取装置を使って、カード、例えばＳＩＭカード、メモリカード、マイクロＳＤカードおよびその他のカードとの接点投入を行っている。
【０００３】
カード接点投入装置の物理的な大きさ、特に厚さの縮小に対する要求がますます高まっている。
【０００４】
したがって、先行技術はカードを薄型化するための様々な方策を含んでいる。例えば、可動式のカバーを有するＳＩＭカード接点投入装置の場合、接点投入装置の支承点が例えば、接点担持部の側面に取り付けられ、挿入されたカードが接点担持部の上面にある制御機構によって予備取付位置から最終取付位置へと移動されるようになっている。このようにして、対応する接点担持部も薄型化できた。
【０００５】
先行技術において知られている他の方策は例えば、使用する材料自体の厚さを薄くすることである。したがって、例えば読取接点を有する接点担持部を最低限の高さまで薄くすることが可能である。これに関する１つの問題は、材料の厚さが薄くなるにつれて、接点担持部の安定性がその用途の大多数における使用に適さなくなることである。読取接点の同一平面性に伴う別の問題も発生する。接点担持部の読取接点の接続端は理想的には、同一平面内にあり、プリント回路基板上へのはんだ付け工程が高い信頼性で実行できるようにしなければならない。
【０００６】
これは、接点担持部が不安定であれば、必然的に問題となる。
【０００７】
接点担持部の厚さに関する問題に加えて、接点担持部を様々な用途に使用でき、しかしながら、上位コンポーネント上その中または上位取付アセンブリの中の対応するカードとの接触状態を確立するための接点を、製造工程中という早い段階で提供することに依存する必要がない、とすることも求められる。
【０００８】
この点に関して、携帯無線端末機器またはスマートカードが使用されるその他の電気的用途のプリント回路基板を設計する際、極めて早い段階でカードと接触状態を確立する接点のための導体トラックを設置するべき地点をすでに画定しておくことが必要である。
【０００９】
これによって製品設計が困難となり、柔軟で小型の設計を可能にするという点での開発が制限される。
【発明の概要】
【発明が解決しようとする課題】
【００１０】
したがって、本発明の目的は、取付アセンブリ上に自由に位置決めできる薄型の接点投入装置を提供することである。
【００１１】
したがって、本発明の他の目的は、取付アセンブリ上の、実質的にあらゆる所望の位置に直接設置でき、カードとの接触状態を確立するためのその読取接点を、離れて位置付けることのできるプリント回路基板に、好ましくは柔軟な接続手段によって接続可能なカード接点投入装置を提供することである。
【００１２】
この目的は、特許請求項１において請求されるカード接点投入装置により達成される。
【００１３】
本発明による接点投入装置の他の具体的な実施形態は従属項と以下のような図面および例示的実施形態の説明からわかる。
【００１４】
本発明の他の目的は、プッシュ−プッシュ機構を備えるカード接点投入装置を提供することであり、それによって、カードを１回目に押すことによりカード接点投入装置に、および、２回目に押すこと（カードに圧力を加えること）によりカード接点投入装置から、挿入でき、接点担持部支持体により、好ましくは下側接点担持部支持体により複数の固定手段を有し、または形成し、これらは取付アセンブリの中に、すなわち上位アセンブリの中に直接取り付けることができるようになされている。固定手段は、カード接点投入装置を取付アセンブリに圧入し、挟み付け、またはスナップ式接続手段により掛け留めることができるように設計可能である。代替案として、取付アセンブリに結合式、圧力嵌め、または粘着方式で接続可能な固定手段もまた提供できる。
【課題を解決するための手段】
【００１５】
このようにして、携帯端末機器の中でプリント回路基板から離れた位置にカード接点投入装置を配置することも可能となり、これは、本発明によるカード接点投入装置がすでに接点を持つ柔軟接点担持部を有し、これらの接点（読取接点）を同様に柔軟な接続手段によってプリント回路基板に接続して、カードとの接触状態を確立できるからである。
【００１６】
したがって、カード接点投入装置を、対応するはんだパターンを有するプリント回路基板上に位置決めし、前記プリント回路基板にはんだポイントにおいてはんだ付けすることによって、カード接点投入装置により提供される読取接点をプリント回路基板に接続するという、先行技術において知られている組立ステップをなくすることができる。
【００１７】
したがって、取付アセンブリの中または上に取り付けられることになるカード用カード接点投入装置が提案され、このカード接点投入装置は上側および下側接点担持部支持体と、上側および下側接点担持部支持体間に配置された柔軟接点担持部も有し、下側接点担持部支持体は複数の固定手段を形成し、これらは取付アセンブリの中またはその上に固定されるようになされている。
【００１８】
好ましい実施形態において、カード接点投入装置はさらに、上側接点担持部支持体がカード上面のための嵌合支承部の形態であるように設計される。このようにして、カード接点投入装置の接点支持空間に挿入されたカードを、上側接点担持部支持体を形成する嵌合支承部によって柔軟接点担持部の接点投入面に押し付けることができ、それによって柔軟接点担持部の読取接点とカードの接点との間の確実な接続が確保される。
【００１９】
カード接点投入装置はさらに、好ましくは、下側接点担持部支持体上に固定手段を有し、前記固定手段は好ましくは、複数の穴の形態であり、取付アセンブリ上の対応する、好ましくは円筒形の突起の周囲で、またはその上に、意図した通りにそれと共に圧着される。
【００２０】
したがって、固定手段が凹部の形態であれば、カード接点投入装置を突起に当てて押し、それと共に圧着することができ、これが特に単純で費用対効果の高い組立を可能にする。
【００２１】
固定手段はさらに、好ましくは、下側接点担持部支持体の上に設けられ、前記固定手段は意図した通りに取付アセンブリの上にはんだ付けするため、またはそこにはんだ付けするためのはんだポイントの形態である。
【００２２】
代替案として、またはこれに加えて、これらの固定手段は、取付アセンブリと共に圧着され、またはそこに固定されるカード接点投入装置が前記取付アセンブリに釈放可能に接続されることが確実になるように、またその結果として衝撃効果が発生した場合に取付アセンブリから機械的衝撃を切断できるように適合させることが可能である。
【００２３】
本発明による解決策の好ましい応用によれば、取付アセンブリは携帯無線端末機器の中のアセンブリを構成し、柔軟接点担持部はその携帯無線端末機器のプリント回路基板に接続するための柔軟接続手段を有する。
【００２４】
さらに好ましくは、柔軟接点担持部は、カードと接続状態を確立するための複数の接触点を持つ接点投入部分を有する。その結果、特に薄型のカード接点投入装置が得られる。さらに、その結果、柔軟接点担持部がすでに読取接点を含むため、取付要素の数が減る。
【００２５】
特に好ましい実施形態において、カード接点投入装置は、接点投入部分（柔軟接点担持部のうち、読取接点を有する部分）が上側および下側接点担持部支持体間に配置されるように設計される。
【００２６】
下側接点担持部支持体は好ましくは、柔軟接点担持部をカードに押し付けるためのスプリングアームを有する。
【００２７】
上側接点担持部支持体を、カード上面のための接点押圧要素として複数のカバースプリングを備えるように設計することも同様に好ましい。したがって、カードはいわば、上側および下側接点担持部支持体間に、接点押圧要素とスプリング要素によって「サンドイッチ様」に保持されて、柔軟接点担持部の接触点に押し付けられる。
【００２８】
この種の設計は、それがすでに取付アセンブリ上の位置決めに関係なく、上位コンポーネントに関する誤差の問題がすべて排除されているため、特に好適である。
【００２９】
換言すれば、これはカード接点投入装置が誤差の問題の影響を受けずに取付可能であることを意味する。
【００３０】
特に有利な実施形態において、本発明によるカード接点投入装置を、プッシュ−プッシュ式カード接点投入装置の形態で提供できる。したがって、カードを挿入し、排出するためのプッシュ−プッシュ機構と前後に移動可能な作動装置を有するカード接点投入装置が提案される。
【００３１】
本発明はまた、小型で、特に薄い構成であり、柔軟に使用できるカード接点投入装置を提供する目的を有するため、本発明による解決策はナノＳＩＭカードに特に適している。したがって、本発明はまた、ナノＳＩＭカードを受けるためのナノＳＩＭカードリーダの形態のカード接点投入装置も提案する。
【００３２】
特にナノＳＩＭカードプッシュ−プッシュ式カード接点投入装置が提案される。
【００３３】
図１〜１０を参照しながら本発明を以下により詳しく説明する。
【図面の簡単な説明】
【００３４】
【図１】本発明によるカード接点投入装置の第一の例示的実施形態の斜視図を示す。
【図２】図１の詳細部の斜視図を示す。
【図３】本発明によるカード接点投入装置の、保持手段柔軟接点担持部、図２と同様の詳細部の図を示す。
【図４】図１の本発明によるカード接点投入装置の、下から見た斜視図を示す。
【図５】プッシュ−プッシュ機構を有する本発明によるカード接点投入装置を示す。
【図６】図５によるカード接点投入装置の、下から見た斜視図を示す。
【図７】上側接点担持部支持体を有する、図５と同様の図を示す。
【図８】本発明によるカード接点投入装置を製造するための方法ステップの３つを示す。
【図９】取付アセンブリ上に第二のカード接点投入装置と共に取り付けられた、本発明によるカード接点投入装置の平面図を示す。
【図１０】図９の線Ａ−Ａに沿った断面図と詳細部Ｘを示す。
【発明を実施するための形態】
【００３５】
図１は、本発明によるカード接点投入装置１の第一の例示的実施形態の斜視図を示す。カード接点投入装置１は接点担持部２を含み、これは、ここで示されているように、従来のシートからスタンピング加工され、折り曲げられた部品として製造されている。本発明によれば、金属シートが用いられる。接点担持部支持体２は、保持手段４ａ、４ｂを有する。保持手段４ａは、図２と図３において明瞭に示されている。
【００３６】
図１はさらに、本発明によるカード接点投入装置１が柔軟接点担持部３を有することを示している。本発明の意味において、柔軟接点担持部とは、折り曲げ、整形し、再び曲げ戻すことのできる接点担持部３を意味する。したがって、いずれの場合も、柔軟接点担持部３が図１〜３に示されるように、カード接点投入装置１の側縁２０の周囲で折り曲げ可能である必要がある。柔軟接点担持部３は、ここでは、その表面上に６つの接触点３３を有する。接触点３３は、対応するカード１００の接点投入グリッドにしたがって配置される。接点担持部支持体２はさらに、右手側と左手側にカードストッパ５を有する。接点担持部支持体２はさらに、側縁２０と、側縁２０の反対に位置付けられた側縁２１（横方向に延びる側縁２０、２１）を有する。
【００３７】
接点担持部支持体２の、図１に示されている側面は側面２９と指定され、接点担持部支持体２の上面を表す。この側面２９の反対側にある下面は、図２と図３に示されるように、側面２８を構成する。保持手段４ａは側面２８に位置付けられ、その一方で保持手段４ｂは側面２９に設けられる。
【００３８】
図２に示されるように、保持手段４ａは接点担持部の凹部３０を通って突出し、ここでは予備取付位置にある。保持部分４１を、それによって保持手段４ａが接点担持部支持体２に固定される固定部分４０の周囲で折り曲げることによって、保持手段４ａが図３に示される位置に移動される。この場合、柔軟接点担持部３は保持部分４１の内面と接点担持部支持体２の側面２８の間に固定され、保持される。
【００３９】
図３に示されるように、有利には、右側と左側の保持手段４ａが提供され、それによって柔軟接点担持部３は、その凹部３０によって、凹部３０の一方の側縁と、凹部３０の反対側の側縁に当たって支持され、長手方向と横方向の移動が阻止される。さらに、保持手段４ａの側縁４２は、凹部３０のための横方向のストッパを形成し、それによって横方向、すなわち側縁２０に平行な移動が防止される。柔軟接点担持部３は、このようにして接点担持部支持体２にしっかりと固定される。
【００４０】
相互に離間され、相互に隣り合わせに配置された複数の保持手段４ａが、有利には、接点担持部支持体２の上に側縁２０から離して配置されることにより、柔軟接点担持部３の一端の固定部分３２が前記接点担持部支持体に固定される。
【００４１】
図３においてさらに明瞭に示されているように、保持部分４１の端は尖った先端を有するように設計され、これは有利な点として、柔軟接点担持部３の表面に食い込むことができる。
【００４２】
換言すれば、保持部分４１を適当な方法で折り曲げることにより、柔軟接点担持部３との噛み合い効果が得られ、保持部分４１の尖った先端が少なくとも部分的に柔軟接点担持部３に進入するが、これは、前記保持部分がその最終取付位置にあり、側面２８または側面２９に実質的に平行に延びることを条件とする。
【００４３】
図４は、カード接点投入装置１の側面２８を下から見た斜視図を示す。固定部分３２、具体的には柔軟接点担持部３の一端にある固定部分３２は、横方向に延びる側縁２０の周囲で折り曲げられ、保持手段４ａに固定される。さらに、スプリングアーム２２が接点担持部支持体２上に形成される。スプリングアーム２２は、そのスプリングドーム２３によって、側面２９から少なくとも部分的に突出する。スプリングドーム２３は、カード１００の、それとの接触状態が確立されることになる接触領域の位置に対応するように配置される。
【００４４】
さらに、同様にスプリングドーム２３を有し、側面２９から、すなわち接点担持部２の表面からわずかに突出するスプリングアーム２４が設けられる。柔軟接点担持部３の切換え接点がここに配置され、前記切換え接点は、カード１００をカード接点投入装置１に挿入したときに、スプリングアーム２４のばね力による作用を受ける。
【００４５】
図５、６、７は、下側接点担持部支持体２を形成するための、本発明による第一の例示的実施形態を示す。下側接点担持部支持体２は固定手段６０を有し、これはカード接点投入装置１の両面の長手方向の辺に配置される。
【００４６】
図のように、固定手段６０は凹部を有するように形成されるか、凹部の形態である。この例示的実施形態において、凹部は穴６０の形態である。この点において、これらの穴６０を取付アセンブリ７０の対応する突起と共に圧着して、これに接続することができる。
【００４７】
特に、図５は、本発明によるプッシュ−プッシュ式カード接点投入装置１の例示的実施形態を示す。このカード接点投入装置１はプッシュ−プッシュ機構５０を有する。プッシュ−プッシュ機構５０は、カード１００を挿入し、排出させる役割を果たし、カード１００を１回目に、特にその読取位置に押し込むことによってカードがカード接点投入装置１の中に挿入され、カード１００を２回目に押すことによって、カードがその読取位置からその排出位置へと移動される。
【００４８】
プッシュ−プッシュ機構５０はしたがって、往復するように移動可能な作動装置５１を有する。作動装置５１はさらに、制御バー５３を有する。ここで、制御バー５３は曲げられた２つのワイヤ端を有する長いワイヤとして示されている。さらに、接点担持部支持体２につまみ５４が設けられ、前記つまみは凹部を有し、そこに制御バー５３の一方の端が係合する。制御バー５３の他方の端は、いわゆるカージオイドカムを制御する役割を果たし、これも同様にプッシュ−プッシュ機構５０により提供される。
【００４９】
さらに、カードストッパ５２が作動装置５１の上に示され、前記カードストッパは少なくとも部分的に柔軟接点担持部３の上方に延び、作動装置５１が操作されると、少なくとも部分的に柔軟接点担持部３の上方で往復する。
【００５０】
図６は、図５に沿った本発明によるカード接点投入装置１を下から示している。
【００５１】
この例示的実施形態においても、柔軟接点担持部３は、一端のその固定部分３２によって、横方向に延びる側縁の周囲で折り曲げられ、ここではその最終取付位置に、具体的にはその折り曲げ位置にすでにある保持手段４ａによって保持される。
【００５２】
第二の固定部分３７は２つの凹部３１を有し、図５に示されるように、そこに保持手段４ｂが通される。しかしながら、柔軟接点担持部３内に延びる導体トラック３４も図５に示されている。
【００５３】
図６からさらに明らかなように、接点担持部支持体２は同様に、スプリングドーム２３を有するスプリングアーム２２を有する。さらに、スプリングアーム２４が提供され、このスプリングアームは、スプリングアーム２２と同様に、接点担持部支持体２の表面から、すなわち側面２９から、そのスプリングドーム２３によって突出する。
【００５４】
この例示的実施形態において、接点担持部支持体２も同様に、金属シートからスタンピング加工されたグリッドとして製造される。スプリングアーム２２、２４を形成するための、必要なスプリング特性を提供する材料は、適当な金属材料である。
【００５５】
接点担持部支持体２はさらに、折り曲げられた複数のカードストッパ５を提供し、これらは上側接点担持部支持体掛け留め手段を有する。
【００５６】
図７は、カード接点投入装置１の、図５のそれと同様の図を示し、さらに、上側接点担持部支持体５５がカードストッパ５のカバーラッチ手段に接続され、引っ掛けられる。上側接点担持部支持体５５は複数の接点担持部支持体スプリング５６を提供し、これはカード受容空間の中に突出する。カード１００をカード接点投入装置１に挿入するためのカード挿入スロット５７が側縁２０の上方に延びる。
【００５７】
図８は、側縁２０、２１、具体的には横方向に延びる側縁を有する平型の接点担持部支持体２の提供を上面図で示しており、この接点担持部支持体２は複数の保持手段４ａ、４ｂを有する。
【００５８】
同図はさらに、柔軟接点担持部３がどのように提供されるかを示しており、前記柔軟接点担持部は、第一の固定部分３２、具体的には一端の固定部分３２と、前記第一の固定部分から離れた第二の固定部分３７を有し、固定部分３２、３７の各々に凹部３０、３１が設けられている。
【００５９】
第一の組立ステップにおいて、柔軟接点担持部３が、その第一の凹部３０によって、または一端にあるその第一の固定部分３２の凹部３０によって保持手段４ａにおいて、ぶら下がった状態にされ、この場合、保持手段４ａは選択的に、予め折り曲げておくか、または接点担持部支持体２の側面２８から突出させて、図８の上の図に示される折り曲げ位置となるように折り曲げることができる。
【００６０】
他の方法ステップにおいて、柔軟接点担持部３が図８の左下の図に示されているように、側縁２０の周囲で折り曲げられ、その凹部３１によって保持手段４ｂに通され、その固定部分３７へと取り回される。この場合、柔軟接点担持部３は側縁２０の周囲で折り曲げられ、柔軟接点担持部３が折り曲げられて、その側面が接点担持部支持体２の側面に載って支持される。
【００６１】
この位置において、第二の保持手段４ｂは第二の固定部分３７の凹部３１を通って突出する。
【００６２】
他の方法ステップにおいて、保持手段４ｂが図８の右下の図に示されている位置へと折り曲げられる。このようにして製造されるカード接点投入装置１には、さらに上側接点担持部支持体５５を設けることができ、これは好ましくは、接点担持部支持体２のカードストッパ手段５に固定されて、カード受容空間を形成する。
【００６３】
接触点３３だけは図８に示されていない。しかしながら、柔軟接点担持部３は対応する接触点３３を有する。
【００６４】
さらに、スプリングアーム２２は、他の方法ステップにおいて、接点担持部支持体２に、好ましくはスタンピングおよび曲げ加工によって形成できる。
【００６５】
さらに、スプリングアーム２２は好ましくは、スプリングドーム２３を形成することを伴って、スプリングアーム２２、２４の端を再形成することにより、スプリングドーム２３を有するように設計できる。
【００６６】
図９と図１０は、本発明による接点投入装置１を取付アセンブリ７０と共に示している。図のように、下側接点担持部支持体２は横方向の固定手段６０を有し、それによってカード接点投入装置１が取付アセンブリ７０に接続される。
【００６７】
図１０に示される切断線Ａ−Ａに沿った断面図は、本発明によるカード接点投入装置の基本的設計を示しており、これは上側および下側接点担持部支持体２、５５と、前記上側および下側接点担持部支持体間に「サンドイッチ様」に配置された柔軟接点担持部３と、を有する。
【００６８】
スプリング２２、５６もまた示されている。スプリング５６は上側接点担持部支持体スプリングであり、スプリング２２は下側接点担持部支持体により形成されるスプリングアームを構成する。
【００６９】
本発明によれば、取付アセンブリ７０はまた、カード接点投入装置を有する個々の、または複数の要素を提供することもできる。例えば、スプリングアーム２２を取付アセンブリ７０の上にも配置できる。さらに、下側接点担持部支持体２の全体を取付アセンブリ７０によって形成できる。さらに、別の、または個々の固定手段６０を上側接点担持部支持体５５にも形成することによって、上側接点担持部支持体を取付アセンブリ７０に接続できる。
【符号の説明】
【００７０】
１  カード接点投入装置
２  下側接点担持部支持体
３  柔軟接点担持部
４ａ、４ｂ  保持手段
５  カードストッパ（カードストッパ手段）
２０、２１  端縁
２２  スプリングアーム
２３  スプリングドーム
２４  スプリングアーム
２８、２９  側面
３０  凹部（第一の凹部）
３１  凹部（第二の凹部）
３２  一端の固定部分
３３  接触点
３４  導体トラック
３５  接点投入部分
３７  固定部分（第二の固定部分）
３９  開口部
４０  固定部分
４１  保持部分
４２  側縁
５０  プッシュ−プッシュ機構
５１  作動装置
５２  カードストッパ
５３  制御バー
５４  つまみ
５５  上側接点担持部支持体
５６  上側接点担持部支持体スプリング
５７  カード挿入スロット
６０  固定手段
７０  取付アセンブリ
８０  下側接点担持部支持体
１００  カード
【図１】
2015536543.tif 000003
【図２】
2015536543.tif 000004
【図３】
2015536543.tif 000005
【図４】
2015536543.tif 000006
【図５】
2015536543.tif 000007
【図６】
2015536543.tif 000008
【図７】
2015536543.tif 000009
【図８】
2015536543.tif 000010
【図９】
2015536543.tif 000011
【図１０】
2015536543.tif 000012
【国際調査報告】
2015536543.tif 000013
2015536543.tif 000014
2015536543.tif 000015
2015536543.tif 000016